(57)【要約】      （修正有）【課題】抱き枕として使用可能とし、仰向け、横向け寝したときに腰痛を防止することができる寝具を提供する。【解決手段】寝具１０は、第一の抱き枕２０及び第二の抱き枕４０と、連結部材６０と、枕部材８０と、を備える。第一の抱き枕２０及び第二の抱き枕４０は、腕を絡ませる腕絡部２４、４４と、足を絡ませる足絡部２７、４７と、腕絡部２４、４４と足絡部２７、４７との中間部分に位置する胴部３０、５０と、を有する。連結部材６０は、腰を乗せる中央部分に袋状に形成し、内部に緩衝材を収納する収納部６３を設ける。第一の抱き枕２０に配設された係合部３２と連結部材６０に配設された被係合部、第二の抱き枕４０配設された係合部５２と連結部材６０に配設された被係合部とを係合することで、連結部材６０が第一の抱き枕２０と第二の抱き枕４０とを連結する構成とする。【選択図】図２
0003184421.tif 000002
【実用新案登録請求の範囲】
【請求項１】
袋体に形成され内部に充填材が収納され、それぞれが、腕を絡ませる腕絡部と、足を絡ませる足絡部と、前記腕絡部と前記足絡部との中間部分に位置する胴部と、を有する第一の抱き枕及び第二の抱き枕と、
前記第一の抱き枕と前記第二の抱き枕とを連結して腰が乗せられる連結部材と、
を備える寝具であって、
前記連結部材は、腰が乗せられる部分に弾性を有する緩衝材を備え、前記第一の抱き枕の前記胴部と前記第二の抱き枕の前記胴部とを連結することを特徴とする寝具。
【請求項２】
前記第一の抱き枕及び第二の抱き枕の各前記胴部には、長尺帯状の係合部が前記腕絡部から前記足絡部に向かう方向に沿ってそれぞれ配設され、
前記連結部材の両端部には、各前記係合部と係合する被係合部がそれぞれ配設され、
前記係合部と前記被係合部とを係合させることで、前記連結部材が前記第一の抱き枕と前記第二の抱き枕とを連結することを特徴とする請求項１記載の寝具。
【請求項３】
前記連結部材には、仰向け寝のときに背骨の位置決めをするとともに、横向き寝のときに体側部分の位置決めをする位置決め部が配設されていることを特徴とする請求項１又は２記載の寝具。
【請求項４】
頭部が乗せられる枕部材を有し、
前記枕部材が、前記第一の抱き枕の前記腕絡部と、前記第二の抱き枕の前記腕絡部とを連結することを特徴とする請求項１、２又は３記載の寝具。
【請求項５】
前記第一の抱き枕及び第二の抱き枕の各前記足絡部の、前記胴部と反対側の端部どうしが連結可能に形成されていることを特徴とする請求項１、２、３又は４記載の寝具。
【請求項６】
前記第一の抱き枕と前記第二の抱き枕とが、互いに左右対称となるように形成され、
前記第一の抱き枕及び第二の抱き枕の各前記袋体が、表側生地と、裏側生地と、を有し、
前記表側生地は、前記裏側生地よりも通気性の高い部材で形成され、前記裏側生地は、前記表側生地よりも保温性の高い部材で形成されていることを特徴とする請求項１、２、３、４又は５記載の寝具。
【考案の詳細な説明】
【技術分野】
【０００１】
本考案は、睡眠時に使用され横向き、仰向き寝、に対応可能な寝具に関するものである。
【背景技術】
【０００２】
横向き、仰向き寝、に対応可能な寝具として、特許文献１に記載されたものがあった。
【０００３】
これによると、腹部、腰部、肩部、頭部を有して三角柱状に形成された一対の背乗せ部を対向して配置して、幅広な帯状部材で形成された延長部で、背乗せ部を連結して構成されていた。
【０００４】
背乗せ部に背中、側背を乗せたときにでも、延長部により各背乗せ部が側方にずれてしまうのを防止することとされていた。
【先行技術文献】
【特許文献】
【０００５】
【特許文献１】特開２００３−３３９７９３号公報
【考案の概要】
【考案が解決しようとする課題】
【０００６】
しかし、上記の寝具では、背乗せ部の底面及び左右側方に延長部が取り付けられており下側に腕をまわすことができず、横向きに寝て背乗せ部の上下に腕をからめて、いわゆる抱き枕として使用することはできなかった。
【０００７】
また、延長部は厚みの薄い部材で形成されているので、睡眠時、特に仰向けに寝たときに腰が痛くなるおそれがあった。
【０００８】
本考案は、抱き枕として使用可能とし、仰向け、横向け寝したときに腰痛を防止することができる寝具を提供することを目的とする。
【課題を解決するための手段】
【０００９】
請求項１記載の考案の寝具では、袋体に形成され内部に充填材が収納され、それぞれが、腕を絡ませる腕絡部と、足を絡ませる足絡部と、腕絡部と足絡部との中間部分に位置する胴部と、を有する第一の抱き枕及び第二の抱き枕と、第一の抱き枕と第二の抱き枕とを連結して腰が乗せられる連結部材と、を備える寝具であって、連結部材は、腰が乗せられる部分に弾性を有する緩衝材を備え、第一の抱き枕の胴部と第二の抱き枕の胴部とを連結している。
【００１０】
これによれば、連結部材により、第一の抱き枕の胴部と第二の抱き枕の胴部とを連結しているので、腕絡部において下側に腕をまわして腕を絡ませ可能となり、足絡部において下側に足をまわして足を絡ませ可能となり、第一の抱き枕及び第二の抱き枕を抱き枕として使用可能としている。また、連結部材は、腰が乗せられる部分に弾性を有する緩衝材を備えているので、仰向け、横向け寝したときに腰痛を防止することができる。
【００１１】
また、第一の抱き枕及び第二の抱き枕の各胴部には、長尺帯状の係合部が腕絡部から足絡部に向かう方向に沿ってそれぞれ配設され、連結部材の両端部には、各係合部と係合する被係合部がそれぞれ配設され、係合部と被係合部とを係合させることで、連結部材が第一の抱き枕と第二の抱き枕とを連結する構成としている。
【００１２】
これにより、係合部と被係合部との係合位置、を腕絡部から足絡部に向かう方向に沿って移動させることが可能となり、体格の違いから生ずる腰の位置の違いに対応することができる。
【００１３】
また、連結部材に、仰向け寝のときに背骨の位置決めをするとともに、横向き根のときに体側部分の位置決めをする位置決め部を配設する構成とすれば、背骨や体側部分の位置決めを迅速に行なうことができるとともに、寝るときの姿勢を良好なものとすることができる。
【００１４】
また、頭部が乗せられる枕部材を有し、枕部材が、第一の抱き枕の腕絡部と、第二の抱き枕の腕絡部とを連結すれば、仰向けに寝たときに枕部材により頭部を受け止めるとともに、連結部材の連結と合わせて二か所で連結することが可能となるので、第一の抱き枕の腕絡部と第二の抱き枕の腕絡部が互いに離れてしまうのを防止することができる。
【００１５】
また、第一の抱き枕及び第二の抱き枕の各足絡部の、胴部と反対側の端部どうしを連結可能に形成すれば、連結部材の連結と合わせて少なくとも二か所で連結することが可能となるになるので、第一の抱き枕の足絡部と第二の抱き枕の足絡部が互いに離れてしまうのを防止することに寄与する。
【００１６】
また、第一の抱き枕と第二の抱き枕とを、互いに左右対称となるように形成し、第一の抱き枕及び第二の抱き枕の各袋体を、表側生地と、裏側生地と、を有する構成とし、表側生地を、裏側生地よりも通気性の高い部材で形成し、裏側生地を、表側生地よりも保温性の高い部材で形成すれば、暑い場合には、表側生地を上側にして設置し、寒い場合には、裏側生地を上側にして設置することで、寒暖に応じて使用することができる。
【図面の簡単な説明】
【００１７】
【図１】本考案の一実施形態の寝具の平面図である。
【図２】同実施形態の斜視図である。
【図３】同実施形態の分解斜視図である。
【図４】図１におけるＩＶ−ＩＶ間部分断面図である。
【図５】連結部材の断面図である。
【図６】枕部材の断面図である。
【図７】同実施形態の使用状態における平面図である。
【図８】同実施形態の使用状態における平面図である。
【考案を実施するための形態】
【００１８】
本考案の一実施形態の寝具について図面に基づいて説明する。
【００１９】
寝具１０は、図１、２、３に示すように、第一の抱き枕２０及び第二の抱き枕４０と、連結部材６０と、枕部材８０と、を有している。
【００２０】
第一の抱き枕２０及び第二の抱き枕４０は、図４に示すように、表側生地２１、４１と、裏側生地２２、４２とを縫合して袋体として形成され、内部に充填材として軟質で弾性を有するプラスチックで形成されたプラスッチックパイプ２３、４３が充填されている。表側生地２１、４１は、メッシュ構造を有したポリエステル等、裏側生地２２、４２より通気性の高い部材が用いられている。裏側生地２２、４２は、ウール等、表側生地２１、４１より保温性の高い部材が用いられている。
【００２１】
第一の抱き枕２０及び第二の抱き枕４０は、図１、２、３に示すように、腕を絡ませる腕絡部２４、４４と、足を絡ませる足絡部２７、４７と、腕絡部２４、４４と足絡部２７、４７との中間部分に位置する胴部３０、５０と、をそれぞれ有している。図１の状態において、腕絡部２４、４４は、互いに離れる側に湾曲し、足絡部２７、４７は互いに近づく側に湾曲し、第一の抱き枕２０及び第二の抱き枕４０は、互いに左右対称となるように略Ｊ字状に形成されている。
【００２２】
第一の抱き枕２０及び第二の抱き枕４０の各腕絡部２４、４４には、図１の状態において対向する第一の抱き枕２０、第二の抱き枕４０に向かって突出する、略台形状の取付片部２５、４５がそれぞれ設けられ、図６に示すように、取付片部２５、４５の自由端側の表面２５ａ、４５ａには、長尺帯状の枕係合部２６、４６としての面ファスナー２６ａ、４６ａが、裏面２５ｂ、４５ｂには、長尺帯状の枕係合部２６、４６としての、面ファスナー２６ｂ、４６ｂが、図１、２、３に示すように、腕絡部２４、４４から足絡部２７、４７に向かう方向に沿ってそれぞれ配設されている。
【００２３】
第一の抱き枕２０及び第二の抱き枕４０の各足絡部２７、４７には、図１の状態において対向する第一の抱き枕２０、第二の抱き枕４０に向かって突出する、帯状の舌片部２８、４８がそれぞれ設けられている。舌片部２８には、ボタンホール２９が設けられ、舌片部４８には、ボタン４９が取り付けられ、ボタン留め等することで舌片部２８、４８どうしを連結して、第一の抱き枕２０及び第二の抱き枕４０の足絡部２７、４７側の端部どうしを連結可能に形成されている。
【００２４】
第一の抱き枕２０及び第二の抱き枕４０の各胴部３０、５０には、図１の状態において対向する第一の抱き枕２０及び第二の抱き枕４０側に突出する略台形状の突出片部３１、５１がそれぞれ設けられている。図４に示すように、突出片部３１、５１の自由端側の表面３１ａ、５１ａには、長尺帯状の係合部３２、５２としての面ファスナー３２ａ、５２ａが、裏面３１ｂ、５１ｂには、長尺帯状の係合部３２、５２としての面ファスナー３２ｂ、５２ｂが、図１、２、３等に示すように、腕絡部２４、４４から足絡部２７、４７に向かう方向に沿ってそれぞれ配設されている。
【００２５】
連結部材６０は、図１、２、３、５に示すように、長尺状の、表側生地６１と、裏側生地６２とを重ね合わせて外周縁部を縫合して長尺帯状体として形成され、腰が乗せられる中央部分に袋状に形成され、内部に緩衝材６４が収納される収納部６３（６３ａ、６３ｂ、６３ｃ、６３ｄ）が四か所設けられている。
【００２６】
収納部６３（６３ａ、６３ｂ、６３ｃ、６３ｄ）は、連結部材６０の表側生地６１と、裏側生地６２とを重ね合わせて、短手方向に沿って縫合して矩形状に各境界部分が形成されている。
【００２７】
緩衝材６４は、木材で形成された円柱状の芯部材６５と、円柱状に形成され芯部材６５の外側に嵌められる発泡スチロール６６と、で構成され、各収納部６３（６３ａ、６３ｂ、６３ｃ、６３ｄ）内に収納されている。
【００２８】
収納部６３ｂと収納部６３ｃとの間には、表側生地６１及び裏側生地６２が重ね合わされた薄片状の薄片部６７が形成されている。
【００２９】
薄片部６７と収納部６３ｂと収納部６３ｃで、仰向け寝のときに背骨の位置決めをするとともに、横向き寝のときに体側部分の位置決めをする位置決め部６８が構成されている。
【００３０】
連結部材６０の両端部には、各係合部３２、５２と係合する被係合部６９、７０がそれぞれ配設されている。
【００３１】
被係合部６９、７０は、本実施形態では、面ファスナー６９ａ、７０ａが用いられ裏側生地６２に取り付けられている。
【００３２】
係合部３２の面ファスナー３２ａと被係合部６９の面ファスナー６９ａを係合させるとともに、係合部５２の面ファスナー５２ａと被係合部７０の面ファスナー７０ａを係合させることで、連結部材６０が第一の抱き枕２０と第二の抱き枕４０とを連結する構成としている。
【００３３】
枕部材８０は、図１、２、３、６に示すように、長尺状の、表側生地８１と、裏側生地８２とを重ね合わせて外周縁部を縫合して長尺帯状体として形成され、頭部が乗せられる中央部分に袋状に形成され、内部に緩衝材としてのプラスッチックパイプ８８が収納される袋部８３（８３ａ、８３ｂ、８３ｃ、８３ｄ）が四か所設けられている。
【００３４】
袋部８３（８３ａ、８３ｂ、８３ｃ、８３ｄ）は、表側生地８１と、裏側生地８２との間に、袋部８３（８３ａ、８３ｂ、８３ｃ、８３ｄ）を仕切る仕切り生地８４を有している。袋部８３（８３ａ、８３ｂ、８３ｃ、８３ｄ）は、枕部材８０の表側生地８１と、裏側生地８２と、仕切り生地８４と、を重ね合わせて短手方向に沿って縫合して矩形状に各境界部分が形成されている。
【００３５】
連結部８５（８５ａ、８５ｂ、８５ｃ）は、表側生地８１、裏側生地８２及び仕切り生地８４が重ね合わされた薄片状の部分で構成されている。
【００３６】
枕部材８０の両端部には、各枕係合部２６、４６と係合する被枕係合部８６、８７がそれぞれ配設されている。
【００３７】
被枕係合部８６、８７は、本実施形態では、面ファスナー８６ａ、８７ａが用いられ裏側生地８２に取り付けられている。
【００３８】
寝具１０の使用態様、作用について説明する。第一の抱き枕２０と、第二の抱き枕４０とを、図３に示すように、表側生地２１、４１を上にして左右対称となるように対向させて配置する。連結部材６０の面ファスナー６９ａと第一の抱き枕２０の面ファスナー３２ａを係合させるとともに、連結部材６０の面ファスナー７０ａと第二の抱き枕４０の面ファスナー５２ａを係合させて、連結部材６０で第一の抱き枕２０の胴部３０と第二の抱き枕４０の胴部５０とを連結する。
【００３９】
次に、第一の抱き枕２０の舌片部２８と、第二の抱き枕４０の舌片部４８をボタン留めして連結し、第一の抱き枕２０の面ファスナー２６ａと枕部材８０の面ファスナー８６ａとを係合し、第二の抱き枕４０の面ファスナー４６ａと枕部材８０の面ファスナー８７ａとを係合して、図１、２に示すような、寝具１０を使用可能状態にさせる。
【００４０】
横向きに寝る場合には、例えば図７に示すように、第一の抱き枕２０の腕絡部２４と足絡部２７に腕、足を絡め、連結部材６０の位置決め部６８に体側部分がくるようにする。なお、頭部を耳が痛くならないように、枕部材８０の袋部８３ａ、８２ｂの間の連結部８５ａに耳がくるようにするのが望ましい。
【００４１】
このとき、図７に示すように、連結部材６０は、第一の抱き枕２０の胴部３０及び第二の抱き枕４０の胴部５０において、連結しているので、腕絡部２４において下側に腕をまわして腕を絡ませ可能となり、足絡部２７において下側に足をまわして足を絡ませ可能となり、第一の抱き枕２０及び第二の抱き枕４０を抱き枕の機能を損なうことなく使用可能としている。
【００４２】
また、連結部材６０は、腰が乗せられる部分に弾性を有する緩衝材６４を備えているので、仰向け、横向け寝したときに腰痛を防止することができる。特に、仰向け寝の場合に、敷布団等に直接腰が当たって伸びてしまうのを防止するので有効となる。
【００４３】
また、連結部材６０は、面ファスナー３２ａ、５２ａと面ファスナー６９ａ、７０ａとの係合位置を、腕絡部２４、４４から足絡部２７、４７に向かう方向に沿って移動させることが可能であるので、体格の違いから生ずる腰の位置の違いがある場合に、移動させて適切な位置に配置して対応することができる。
【００４４】
位置決め部６８は、連結部材６０を一度適切な位置に位置決めしておけば、背骨や体側部分の位置決めを迅速に行なうことができるとともに、寝るときの姿勢を規制して良好なものとすることができる。
【００４５】
第一の抱き枕２０及び第二の抱き枕４０は、枕部材８０、連結部材６０、舌片部２８、４８による三か所で連結されて互いに離れる方向への移動が拘束されるので、使用状態での形態が安定する。そして、枕部材８０、第一の抱き枕２０及び第二の抱き枕４０により、体の移動が規制されるので、寝相が悪い人でも、安定した寝相で寝ることができる。
【００４６】
また、寝返りを打つ場合には、下側の腕、足を抜いて体を反転させれば第二の抱き枕４０を使用することができるので、掛け布団が乱れるのを抑制することができる。
【００４７】
また、仰向けに寝る場合には、図８に示すように、後頭部を枕部材８０の袋部８３ｂ、８２ｃ、連結部８５ｂ付近に置き、腰付近の背骨が連結部材６０の位置決め部６８にくるようにする。
【００４８】
また、暑い場合には、第一の抱き枕２０及び第二の抱き枕４０の表側生地２１、４１を上側にして設置し、寒い場合には、裏側生地２２、４２を上側にして設置するとともに、第一の抱き枕２０と第二の抱き枕４０を図１とは左右逆に配置することで、寒暖に応じて使用することができる。
【００４９】
上記の裏側生地２２、４２を上側にして設置する場合には、係合部５２の面ファスナー５２ｂと被係合部６９の面ファスナー６９ａを係合させるとともに、係合部３２の面ファスナー３２ｂと被係合部７０の面ファスナー７０ａを係合させることで、連結部材６０が第一の抱き枕２０と第二の抱き枕４０とを連結することとなる。
【００５０】
上記構成の寝具１０では、袋体に形成され内部に充填材としてプラスッチックパイプ２３、４３が収納され、それぞれが、腕を絡ませる腕絡部２４、４４と、足を絡ませる足絡部２７、４７と、腕絡部２４、４４と足絡部２７、４７との中間部分に位置する胴部３０、５０と、を有する第一の抱き枕２０及び第二の抱き枕４０と、第一の抱き枕２０と第二の抱き枕４０とを連結して腰が乗せられる連結部材６０と、を備える寝具であって、連結部材６０は、腰が乗せられる部分に弾性を有する緩衝材６４を備え、第一の抱き枕２０の胴部３０と第二の抱き枕４０の胴部５０とを連結している。
【００５１】
これによれば、連結部材６０により、第一の抱き枕２０の胴部３０と第二の抱き枕４０の胴部５０とを連結しているので、腕絡部２４、４４において下側に腕をまわして腕を絡ませ可能となり、足絡部２７、４７において下側に足をまわして足を絡ませ可能となり、第一の抱き枕２０及び第二の抱き枕４０を抱き枕として使用可能としている。また、連結部材６０は、腰が乗せられる部分に弾性を有する緩衝材６４を備えているので、仰向け、横向け寝したときに腰痛を防止することができる。
【００５２】
また、第一の抱き枕２０及び第二の抱き枕４０の各胴部３０、５０には、長尺帯状の面ファスナー３２ａ、５２ａ、面ファスナー３２ｂ、５２ｂを腕絡部２４、４４から足絡部２７、４７に向かう方向に沿ってそれぞれ配設され、連結部材６０の両端部には、各面ファスナー３２ａ、５２ａ、又は、面ファスナー３２ｂ、５２ｂと係合する面ファスナー６９ａ、７０ａがそれぞれ配設され、面ファスナー３２ａ、５２ａ、又は、面ファスナー３２ｂ、５２ｂと面ファスナー６９ａ、７０ａとを係合させることで、連結部材６０が第一の抱き枕２０と第二の抱き枕４０とを連結する構成としている。
【００５３】
これにより、面ファスナー３２ａ、５２ａ、又は、面ファスナー３２ｂ、５２ｂと面ファスナー６９ａ、７０ａとの係合位置、を腕絡部２４、４４から足絡部２７、４７に向かう方向に沿ってそれぞれ移動させることが可能となり、体格の違いから生ずる腰の位置の違いに対応することができる。
【００５４】
また、連結部材６０に、仰向け寝のときに背骨の位置決めをするとともに、横向き根のときに体側部分の位置決めをする位置決め部６８を配設する構成としているので、背骨や体側部分の位置決めを迅速に行なうことができるとともに、寝るときの姿勢を良好なものとすることができる。
【００５５】
また、頭部が乗せられる枕部材８０を有し、枕部材８０が、第一の抱き枕２０の腕絡部２４と、第二の抱き枕４０の腕絡部４４とを連結すれば、仰向けに寝たときに枕部材８０により頭部を受け止めるとともに、連結部材６０の連結と合わせて二か所で連結することが可能となるになるので、第一の抱き枕２０の腕絡部２４と第二の抱き枕４０の腕絡部４４が互いに離れてしまうのを防止することができる。
【００５６】
また、第一の抱き枕２０及び第二の抱き枕４０の各足絡部２７、４７の、胴部３０、５０と反対側の端部どうしを連結可能に形成しているので、連結部材６０の連結と合わせて少なくとも二か所で連結することが可能となるになるので、第一の抱き枕２０の足絡部２７と第二の抱き枕４０の足絡部４７が互いに離れてしまうのを防止することに寄与する。
【００５７】
また、第一の抱き枕２０と第二の抱き枕４０とを、互いに左右対称となるように形成し、第一の抱き枕２０及び第二の抱き枕４０の各袋体を、表側生地２１、４１と、裏側生地２２、４２と、を有する構成とし、表側生地２１、４１を、裏側生地２２、４２よりも通気性の高い部材で形成し、裏側生地２２、４２を、表側生地２１、４１よりも保温性の高い部材で形成しているので、暑い場合には、表側生地２１、４１を上側にして設置し、寒い場合には、裏側生地２２、４２を上側にして設置することで、寒暖に応じて使用することができる。
【００５８】
なお、収納部６３、袋部８３、第一の抱き枕２０及び第二の抱き枕４０に詰められる充填材は上記のものには限定されない、例えば、そば殻、羽毛、プラスチックパイプ等、既存の寝具に詰められているものを適用することができる。
【００５９】
また、第一の抱き枕２０及び第二の抱き枕４０も、連結部材６０、枕部材８０で連結できるのであれば上記のものには限定されない、例えば、円柱状、多角柱状等の、既存の抱き枕を用いることができる。
【００６０】
また、第一の抱き枕２０及び第二の抱き枕４０の各袋体の、表側生地２１、４１を、他の通気性の高い構造を有する部材で形成し、裏側生地２２、４２を、他の羊毛、カシミア、シルク等の保温性の高い部材で形成することも可能である。
【００６１】
また、枕係合部２６、４６は、取付片部２５、４５を介して腕絡部２４、４４に配設されているが、腕絡部２４、４４に直接配設することも可能である。
【００６２】
また、係合部３２、５２は、突出片部３１、５１を介して胴部３０、５０に配設されているが、胴部３０、５０に直接配設することも可能である。
【符号の説明】
【００６３】
１０  寝具
２０  第一の抱き枕
２１  表側生地
２２  裏側生地
２３  プラスッチックパイプ
２４  腕絡部
２６  枕係合部
２６ａ  面ファスナー
２６ｂ  面ファスナー
２７  足絡部
２８  舌片部
２９  ボタンホール
３０  胴部
３１  突出片部
３２  係合部
３２ａ  面ファスナー
３２ｂ  面ファスナー
４０  第二の抱き枕
４１  表側生地
４２  裏側生地
４３  プラスッチックパイプ
４４  腕絡部
４６  枕係合部
４６ａ  面ファスナー
４６ｂ  面ファスナー
４７  足絡部
４８  舌片部
４９  ボタン
５０  胴部
５１  突出片部
５２  係合部
５２ａ  面ファスナー
５２ｂ  面ファスナー
６０  連結部材
６３（６３ａ、６３ｂ、６３ｃ、６３ｄ）  収納部
６４  緩衝材
６７  薄片部
６８  位置決め部
６９  被係合部
６９ａ  面ファスナー
７０  被係合部
７０ａ  面ファスナー
８０  枕部材
８３（８３ａ、８３ｂ、８３ｃ、８３ｄ）  袋部
８６  被枕係合部
８６ａ  面ファスナー
８７  被枕係合部
８７ａ  面ファスナー
【図１】
0003184421.tif 000003
【図２】
0003184421.tif 000004
【図３】
0003184421.tif 000005
【図４】
0003184421.tif 000006
【図５】
0003184421.tif 000007
【図６】
0003184421.tif 000008
【図７】
0003184421.tif 000009
【図８】
0003184421.tif 000010